(57)【要約】      （修正有）【課題】新設住宅はもとより既設住宅に使用出来る免震工法の提供。【解決手段】既設基礎６の上端と土台７間の空間（敷きモルタル部）に免震装置をボルト２３ナット２４等で設置する。【選択図】        図１３
2006266062.tif 000002
【特許請求の範囲】
【請求項１】
プレート製ブラケット支承
プレートの下部を斜めに適宜に曲げた屈曲部１０に傾斜部１１を形成し、その先端の下部を屈曲部１０と直角になるように曲げてストッパー１２を形成させる事を特色とする基礎用ブラケット支承
【請求項２】
Ｌ字型のＰＣ又はＲＣ製のブラケット支承
上部に傾斜部１１とストッパー部１２を設けたＬ字型のＰＣ又はＲＣ製の支承
【請求項３】
請求項１と２を使用した住宅用免震施工方法
【発明の詳細な説明】
【技術分野】
【０００１】本発明は住宅等の小規模建築物に設置する住宅用耐震装置に関するものである。
【背景技術】
【０００２】地震大国日本の住宅用地震対策は耐力壁による耐震設計が主流で新築時に設置する免震装置は住宅メーカー等で僅かに普及してきたが経済的になかなか普及せず非耐震住宅が今後も増え続けることになると考察される【０００３】免震装置を１番必要としている非耐震既設住宅用の免震装置の開発は開発が難しく経済的に採算が合わないために、わが国は大地震国にも関わらず既設住宅の地震対策は、制振装置や耐震補強工事等は成されているが免震装置の開発が進んでいないのが現状である。【０００４】地震対策として既設住宅用制振装置等は少し普及して来たがこれを設置するには壁を撤去して制振装置を装着させる方法で既設の壁に面材や筋違い等で補強と補修工事が必要になり施工費も高い割に免震効果はあまり期待できないので安価な既設用免震装置の開発が急がれている。【０００５】現在既設住宅に免震装置を設置するには、既設住宅の基礎と土台を切り離し、既設住宅をジャッキアップし新たに免震装置用基礎を設置してこれに免震装置をセットしてこの上に構台を組みこれにジャッキアップした既設住宅の土台を固定する方法がある。【０００６】免震装置は１９２４年特許となった鬼頭健三郎氏の皿型盤と球体による建築物耐震装置が有り今日でも小規模の建築用免震装置にはこれを応用した免震装置が多数使用されている。【０００７】  小規模建築用免震装置はボールベアリングとダンパーを組み合わせた転がし工法とプレート同士を滑らす工法の装置が主流である。
【発明の開示】
【発明が解決しようと課題】
【０００８】既設住宅に従来の皿型盤と球体による免震装置等を設置するには
１．既設住宅の基礎と土台を切り離なさなければならない
切り離した住宅を免新装置や構台を設置できる高さまでジャッキ等によりジャッキアップしなければならない
２．免震装置用の基礎を設けなければならない
３．皿型盤と球体による免震装置を設置する
４．免震装置の上に鋼製の構台を組み立てなければならない
５．構台に既設住宅の土台を固定するためジャッキダウンしなければならない
６．構台と既設住宅の土台を接続金物等で固定しなければならない
７．既設住宅の基礎と土台間を外装材等でふさがなければならない
８．台風などの揺れ止め装置が要る
９．設置工事の工期が長く施工期間中は１階部分等の家具等は移転させなければならないし施主も仮住しなければならない
１０．上下皿型盤と球体による免震装置はかなり大掛かりな装置で製造費も設置費用も住宅建設費に占める費用が高額などの問題がある
【０００９】既設住宅に従来のボールベアリングとダンパーによる免震装置を設置するには
１．既設住宅の基礎と土台を切り離なさなければならない
２．切り離した住宅を免新装置や構台を設置できる高さまでジャッキ等によりジャッキアップしなければならない
３．免震装置用の基礎を設けなければならない
４．ボールベアリング式免震装置を設置する
５．オイルダンパーを設置する
６．免震装置の上に鋼製の構台を組み立てなければならない
７．構台に既設住宅の土台を固定するためジャッキダウンしなければならない
８．構台と既設住宅の土台を接続金物等で固定しなければならない
９．既設住宅の基礎と土台間を外装材等でふさがなければならない
１０．設置工事の工期が長く施工期間中は１階部分等の家具等は移転させなければならないし施主も仮住しなければならない
１２．ボールベアリング式免震装置とダンパーは大掛かりな装置で製造費も設置費用も高価
【課題を解決するための手段】
【００１０】以上のような課題を解決するためにこの発明では下記の様な支承を使用する
１．プレート製ブラケット支承
プレートの下部を斜めに適宜に曲げた屈曲部１０に傾斜部１１を形成し、その先端の下部を屈曲部１０と直角になるように曲げてストッパー１２を形成させる事を特色とする基礎用ブラケット支承、尚屈曲部１０の下部に基礎固定用ネコ１３を設けておく、又ブレート製ブラケット支承構造１の下部に補強用のリブプレート１４やコンクリート及びコンクリートブロック接続付着用のボルト用インサート１５を設けてもよい。
２．Ｌ字型のＰＣ又はＲＣ製ブラケット支承
上部にストッパー部１２と傾斜部１１を設けたＬ字型のＰＣ又はＲＣ製の支承、尚側面部に引き寄せ金物用また下部にアンカー接続兼引き寄せ金物用のインサート１５を設けて置く
３．コンクリート現場打設Ｌ字型支承
既設基礎に接続して上部に傾斜部１１とストッパー部１２を設けてＬ型になる様に鉄筋を配筋し型枠を組み此れにコンクリートを打設して形成した支承
４．土台用支承
プレート９にネコ１３を付けたプレート支承やプレートをＬ型に加工した、Ｌ型プレート支承または既製品の鋼製アングルに土台や基礎に接続させる為のボルトや釘用貫通孔１６を設けたＬ型支承
５．スライド支承
ボールベアリング２０を箱２２にセットし土台に接続させる為のボルトや釘用貫通孔１６を設けたネコ１３を取り付けた支承
【００１１】本発明の住宅用免震装置には下記の様な工法が出来る
【００１２】プレート製ブラケット支承既設基礎固定工法
プレート製ブラケット支承の下部にリブプレートと基礎固定用ネコを設けた支承を既設住宅の基礎全体にＸ方向とＹ方向に適宜にバランス良く配置しボルトとナットで、固定して、既設土台に金属製Ｌ型支承またはスライド支承をセットした免震装置工法
【００１３】プレート製ブラケット支承独立基礎固定工法
基礎固定用ネコとインサートを設けたプレート製ブラケット支承の下部に基礎固定用アンカーボルトを設けた支承を既設住宅の基礎全体にＸ方向とＹ方向にバランス良く適宜に配置し固定してプレート製ブラケット支承の下部にコンクリートを打設して、既設土台に金属製Ｌ型支承またはスライド支承をセットした免震装置工法
【００１４】コンクリート独立基礎支承打設工法
インサートを設けたＬ字型コンクリートの上端に斜めの滑り部分とストッパーを設けた現場打ち基礎用支承を既設住宅の基礎全体にＸ方向とＹ方向にバランス良く適宜に打設して、既設土台にＬ型支承またはスライド型支承装をセットした免震装置工法
【００１５】Ｌ字型のＰＣ又はＲＣ製ブラケットスライド支承ＣＢ独立基礎固定工法
既設住宅の基礎全体にＸ方向とＹ方向にバランス良く適宜にべたコン基礎を打設しその上にブロックを積みこの上に水平と斜めの滑り部分とストッパーを設けインサートを設けたＬ字型のＰＣまたはＲＣ支承を配置して、既設土台にＬ型支承またはスライド支承をセットした免震装置工法
【００１６】Ｌ字型のＰＣ又はＲＣ製ブラケットスライド支承ＰＣ又はＲＣ製独立基礎固定工法
引寄せ金物ボルト用インサートを設け水平と斜めの滑り部分とストッパーを設けたＬ字型のＰＣ又ＲＣ製支承の下部にＰＣ又はＲＣ製による基礎を既設住宅の基礎全体にＸ方向とＹ方向にバランス良く適宜に配置して、既設土台にＬ型支承またはスライド支承をセットした免震装置工法
【発明の効果】
【００１７】  本発明の住宅用免震装置を使用すると下記の様な利点がある
１．免震装置用の大掛かりな基礎が不要
２．土台を固定する構台が不要
３．大掛かりな免震装置用基礎や構台が不要で免震装置もスライド支承を既設基礎上端と土台の間に挿入するだけだから既設住宅のジャッキアップが不要
４．免震装置用基礎と構台及びジャッキアップが不要だからこれらの工費と施工、工期が不要
５．既設住宅のジャッキアップが不要で部分工事が出来るので施主は仮住まい無しで施工できる
６．仮住いが不要だからその経費が不要
７．免震装置もプレートによるブラケット支承やＬ型支承等の小規模な装置で済むので製造費が安い
８．免震装置もプレートによるブラケット支承やＬ型支承等の小規模な装置で済むので施工が簡単
９．台風等の揺れ防止装置が要らない
【発明を実施するための最良の形態】
【００１８】プレート製ブラケット支承既設基礎固定工法
プレート製ブラケット支承の下部にリブプレートと基礎固定用ネコを設けて既設住宅の基礎全体にＸ方向とＹ方向に適宜にバランス良く配置しボルトとナットで、既設基礎に固定して、既設土台にＬ型支承またはスライド支承をセットした免震装置工法【００１９】プレート製ブラケット支承既設基礎独立コンクリート基礎固定工法
既設住宅の基礎全体にＸ方向とＹ方向にバランス良く適宜にプレート製ブラケット支承の下部に基礎固定用ネコとアンカーを設けてブラケット支承の下部にコンクリートを打設し、既設土台にＬ型支承またはスライド支承をセットした免震装置工法【００２０】Ｌ字型のＰＣ又はＲＣ製ブラケットスライド支承既設基礎ＣＢ独立基礎固定工法
既設住宅の基礎全体にＸ方向とＹ方向にバランス良く適宜にベタコンを打設し、この上にブロックを積み更に水平と斜めの滑り部分とストッパーを設けたＬ字型のＰＣまたはＲＣ支承を配置し、既設土台にＬ型支承またはスライド支承をセットした免震装置工法【００２１】Ｌ字型のＰＣ又はＲＣ製ブラケットスライド支承のＰＣ又はＲＣ製既設基礎独立基礎固定工法
水平と斜めの滑り部分とストッパーを設けたＰＣ又ＲＣ製の基礎用支承の下部にＰＣ又はＲＣ製による基礎を既設住宅の基礎全体にＸ方向とＹ方向にバランス良く適宜に配置し、既設土台にＬ型支承またはスライド支承をセットした免震装置工法
【実施例１】
【００２２】プレート製のブラケット支承既設基礎ボルトナット固定工法
１，施工箇所の既設基礎上端の敷きモルタルを撤去する（ブラケット及びスライド装置等の取り付け寸法が不足するときは既設基礎上端をカッティングしておく）
２，既設基礎にブラケット固定用の貫通孔を設ける
３，ブラケット施工箇所の既設基礎上端にレベルモルタルを敷く
４，施工箇所の既設土台下にＬ型支承またはスライド支承を挿入してラグスクリュー等で土台に固定する
５，既設基礎の左右両側より２基のブラケット支承をレベルモルタルの上端にセットして既設基礎の固定用貫通孔にボルトを挿入してボルトとナットでブラケット支承を固定する
６，工箇所のレベルモルタルが強度発現後既設住宅全ての既設基礎上端の既設敷きモルタルを撤去する
７，既設住宅全ての既設基礎上端と土台間のアンカーボルトを切断する
８，既設住宅の、柱の土台下と基礎の隙間に２本のＬ型支承の水平部分が接する様に既設土台と既設基礎にＬ型支承を支承同士が滑るように固定する
９，外回り既設基礎の施工箇所の強度が不足する時は施工箇所に独立基礎を増し打ちする
【実施例２】
【００２３】  プレート製ブラケット支承既設基礎独立コンクリート基礎固定工法
１，施工箇所の既設基礎上端の敷きモルタルを撤去する（ブラケット及びスライド装置等の取り付け寸法が不足するときは既設基礎上端をカッティングしておく）
２，既設基礎にブラケット固定用の貫通孔を設ける
３，施工箇所の既設土台下にＬ型支承またはスライド支承を挿入してラグスクリュー等で土台に固定する
４，ブラケット支承施工箇所の既設基礎上端にレベルモルタルを敷く
５，既設基礎の左右両側より２基のブラケット支承をレベルモルタルの上端にセットして既設基礎の固定用貫通孔にボルトを挿入してボルトとナットでブラケット支承を固定する
６，ブラケット支承の下部にインサートを設けアンカーボルトをセットし此れと既設基礎のインサートにアンカーボルトをセットして型枠を組み立てコンクリートを打設する
７，施工箇所のコンクリートが強度発現後、既設住宅全ての既設基礎上端の既設敷きモルタルを撤去する
８，既設住宅全ての既設基礎上端と土台間のアンカーボルトを切断する
９，既設住宅の、柱の土台下と基礎の隙間に２本のＬ型支承の水平部分が接する様に既設土台と既設基礎にＬ型支承を支承同士が滑るように固定する
【実施例３】
【００２４】  プレート製ブラケット支承既設基礎コンクリートブロック独立基礎固定工法
１．施工箇所の既設基礎上端の敷きモルタルを撤去する（ブラケット及びスライド装置等の取り付け寸法が不足するときは既設基礎上端をカッティングしておく）
２．既設基礎に増しうち基礎用のインサートにアンカーボルトを設ける
３．ブラケット支承施工箇所の既設基礎上端にレベルモルタルを敷く
４．施工箇所の既設土台下にＬ型支承またはスライド支承を挿入してラグスクリュー等で土台に固定する
５．ブラケット支承施工箇所地盤にべたコン基礎を打設する
６．べたコン基礎の上にコンクリートブロックを積む
７．既設基礎の左右両側よりブラケット支承の下部にインサートにアンカーボルトを設けた２基のブラケット支承をレベルモルタルの上端にセットして既設基礎に固定する
８．施工箇所のレベルモルタル及びコンクリートブロック積部の強度発現後、既設住宅全ての既設基礎上端の既設敷きモルタルを撤去する
１１．既設住宅全ての既設基礎上端と土台間のアンカーボルトを切断する
１２．既設住宅の、柱の土台下と基礎の隙間に２本のＬ型支承の水平部分が接する様に既設土台と既設基礎にＬ型支承を支承同士が滑るように固定する
【実施例４】
【００２５】  Ｌ字形のＰＣ又はＲＣ製のブラケット支承既設基礎独立基礎固定工法
１、施工箇所の既設基礎上端の敷きモルタルを撤去する（ブラケット及びスライド装置等の取り付け寸法が不足するときは既設基礎上端をカッティングしておく）
２、既設基礎に増しうち基礎用のインサートとブラケット支承引寄金物用貫通孔を施工する
３、施工箇所の既設土台下にＬ型支承またはスライド支承を挿入してラグスクリュー等で土台に固定する
４、ブラケット支承施工箇所の既設基礎上端にレベルモルタルを敷く
５、既設基礎の左右両側より２基のＬ字形のＰＣ又はＲＣ製のブラケット支承を引寄金物等で既設基礎に固定する
６、ブラケット支承の下部に型枠を組立て、コンクリートを打設する
７、施工箇所のコンクリートが強度発現後、既設住宅全ての既設基礎上端の既設敷きモルタルを撤去する
８、既設住宅全ての既設基礎上端と土台間のアンカーボルトを切断する
９．既設住宅の、柱の土台下と基礎の隙間に２本のＬ型支承の水平部分が接する様に既設土台と既設基礎にＬ型支承を支承同士が滑るように固定する
【実施例５】
【００２６】  Ｌ字型のＰＣ又はＲＣ製ブラケット支承既設基礎コンクリートブロック独立基礎固定工法
１、施工箇所の既設基礎上端の敷きモルタルを撤去する（ブラケット及びスライド装置等の取り付け寸法が不足するときは既設基礎上端をカッティングしておく）
２、既設基礎に増しうち基礎用のインサートとブラケット支承用引寄金物用貫通孔を施工する
３、ブラケット支承施工箇所の既設基礎上端にレベルモルタルを敷く
４、施工箇所の既設土台下にＬ型支承またはスライド支承を挿入してラグスクリュー等で土台に固定する
５、ブラケット支承施工箇所地盤にべたコン基礎を打設する
６、べたコン基礎の上にコンクリートブロックを積む
７、既設基礎の左右両側のより２基のＬ字形のＰＣ又はＲＣ製のブラケット支承を引寄金物等で既設基礎に固定する
８、施工箇所のレベルモルタル及びコンクリートブロック積部が強度発現後、既設住宅全ての既設基礎上端の既設敷きモルタルを撤去する
９、既設住宅全ての既設基礎上端と土台間のアンカーボルトを切断する
１０，既設住宅の、柱の土台下と基礎の隙間に２本のＬ型支承の水平部分が接する様に既設土台と既設基礎にＬ型支承を支承同士が滑るように固定する
【産業上の利用可能性】
【００２７】ブラケット支承の構造が簡単でプレートの曲げ加工と溶接で製造できるので高度の技術が不要だから安価に製造できるし既設基礎の上端と土台間の空間に免震装置をボルトナット等で設置できるので施工費も安価で工期も短くて済む【００２８】Ｌ型支承も既成のアングルか鉄板を曲げ加工して固定用ボルトや釘穴を開けるだけだから施工費も安価で工期も短くて済むし土台の補強にもなる【００２９】Ｌ字形のＰＣ又はＲＣ製ブラケット支承も構造が簡単だからコンクリート２次製品工場で安価に製造できる等の利点があるので、地震大国日本の既設住宅免震工事の現状は皆無だから施工費が安価で。工期も短くてすむので需要は莫大在り、リホーム工事との相乗効果も期待できるので住宅産業への経済効果は大きい
【図面の簡単な説明】
【００３０】
【図１】請求項１のプレート製ブラケット支承の断面図
【図２】請求項１のプレート製ブラケット支承の透視図
【図３】請求項１のプレート製支承に基礎固定用ネコを設けた透視図
【図４】請求項１のプレート製支承にネコとインサートを設けた透視図
【図５】請求項１のプレート製支承にネコとインサーとリブプレートを設けた透視図
【図６】請求項２のＬ字形のＰＣ又はＲＣ製ブラケット支承の断面図
【図７】請求項２のＬ字形のＰＣ又はＲＣ製ブラケット支承の透視図
【図８】請求項２のＬ字形のＰＣ又はＲＣ製ブラケット支承に引き寄せ金物とアンカーボルト用インサーを設けた透視図
【図９】プレートに土台及び基礎固定用ネコを設けたＬ型支承の透視図
【図１０】鋼製アングルに土台及び基礎固定用貫通孔を設けたＬ型支承の透視図
【図１１】ボールベアリングを土台固定用ネコ付き箱にセットしたスライド支承の垂直断面図
【図１２】ボールベアリングを土台固定用ネコ付き箱にセットしたスライド支承の透視図
【図１３】実施例１のブラケット支承既設基礎固定工法の断面図
【図１４】実施例１のブラケット支承既設基礎固定工法の平面図
【図１５】実施例２のブラケット支承既設基礎独立コンクリート基礎固定工法の断面図
【図１６】実施例２のブラケット支承既設基礎独立コンクリート基礎固定工法の平面図
【図１７】実施例３のブラケット支承既設基礎独立コンクリートブロック基礎固定工法の断面図
【図１８】実施例３のブラケット支承既設基礎独立コンクリートブロック基礎固定工法の平面図
【図１９】実施例４のＬ字形のＰＣ又はＲＣ製ブラケット支承既設基礎独立コンクリート基礎固定工法の断面図
【図２０】実施例４のＬ字形のＰＣ又はＲＣ製ブラケット支承既設基礎独立コンクリート基礎固定工法の平面図
【図２１】実施例５のＬ字形のＰＣ又はＲＣ製ブラケット支承既設基礎独立コンクリートブロック基礎固定工法の断面図
【図２２】実施例５のＬ字形のＰＣ又はＲＣ製ブラケット支承既設基礎独立コンクリートブロック基礎固定工法の平面図
【図２３】Ｌ字形のＰＣ又はＲＣ製ブラケット支承既設基礎ＰＣ又はＲＣ製基礎固定工法の断面図
【図２４】Ｌ字形のＰＣ又はＲＣ製ブラケット支承既設基礎ＰＣ又はＲＣ製基礎固定工法の平面図
【図２５】コンクリート独立基礎支承打設工法の断面図
【図２６】コンクリート独立基礎支承打設工法の平面図
【符号の説明】
【００２７】１  プレート製ブラケット支承構造
２  Ｌ字形のＰＣ又はＲＣ製ブラケット支承構造
３  コンクリート現場打設Ｌ字型支承構造
４  土台用支承構造
５  スライド支承構造
６  既設基礎
７  土台
８  柱
９  プレート
１０  屈曲部              ２１  Ｌ型支承支承
１１  傾斜部              ２２  箱
１２  ストッパー          ２３  ボルト
１３  ネコ                ２４  ナット
１４  リブプレート        ２５  ラグスクユー
１５  インサート          ２６  コンクリート
１６  貫通孔              ２７  べたコン
１７  アンカーボルト      ２８  コンクリートブロック
１８  レベルモルタル      ２９  ＰＣ又はＲＣブラケット支承
１９  鉄  筋              ３０  ＰＣ又はＲＣ製基礎
２０  ボールベアリング
【図１】
2006266062.tif 000003
【図２】
2006266062.tif 000004
【図３】
2006266062.tif 000005
【図４】
2006266062.tif 000006
【図５】
2006266062.tif 000007
【図６】
2006266062.tif 000008
【図７】
2006266062.tif 000009
【図８】
2006266062.tif 000010
【図９】
2006266062.tif 000011
【図１０】
2006266062.tif 000012
【図１１】
2006266062.tif 000013
【図１２】
2006266062.tif 000014
【図１３】
2006266062.tif 000015
【図１４】
2006266062.tif 000016
【図１５】
2006266062.tif 000017
【図１６】
2006266062.tif 000018
【図１７】
2006266062.tif 000019
【図１８】
2006266062.tif 000020
【図１９】
2006266062.tif 000021
【図２０】
2006266062.tif 000022
【図２１】
2006266062.tif 000023
【図２２】
2006266062.tif 000024
【図２３】
2006266062.tif 000025
【図２４】
2006266062.tif 000026
【図２５】
2006266062.tif 000027
【図２６】
2006266062.tif 000028